(57)【特許請求の範囲】
【請求項１】
商品販売時に、携帯型電話機から該電話機の電話番号を読み取り、該電話番号に基づいて個人識別を行い、前記電話番号毎に累計販売数量を記憶し、該累計販売数量が所定量に達したことを条件にして前記携帯型電話機に対してサービス情報を送信することを特徴とする自動販売機。
【発明の詳細な説明】
【０００１】
【発明の属する技術分野】
本発明は、販促機能を付加した自動販売機に関するものである。
【０００２】
【従来の技術】
従来の自動販売機における販促機能としては、例えば次のようなものがある。すなわち、磁気カード等、販売個数を記録できるカードを自動販売機ユーザに配付し、自動販売機ユーザは、自動販売機で商品を購入する際に、そのカードを自動販売機に設けられたカード挿入口に挿入する。自動販売機は、販売した商品の個数に応じたサービスポイントをカードに加算していき、そのサービスポイントが所定数に達したらおまけのプレゼント商品を出すとか、価格を割引いて割引分をコインで返却するとかのサービスを行う。
【０００３】
【発明が解決しようとする課題】
しかしながら、上記従来の自動販売機では、商品を購入する際にカードを持っていないとサービスポイントの加算ができないため、常にカードを携帯している必要があり、また、サービス自体にインパクトがなく、販促効果もあまり上がっていないという問題点があった。
【０００４】
本発明は、そのような問題点を解決し、特別なカードを用いることなくサービスが受けられるようにし、また、サービスにインパクトを与えて販促効果を向上させることを目的とするものである。
【０００５】
【課題を解決するための手段】
前記課題を解決するため、請求項１に記載の自動販売機は、商品販売時に、携帯型電話機から該電話機の電話番号を読み取り、該電話番号に基づいて個人識別を行い、前記電話番号毎に累計販売数量を記憶し、該累計販売数量が所定量に達したことを条件にして前記携帯型電話機に対してサービス情報を送信することを特徴とする。ここで、「携帯型電話機」とは、携帯電話及びＰＨＳのような、一般的に普及している携帯型の電話機を意味している。このようにすると、現在でも広く普及し、今後さらに普及が進み、ほとんどの人が常に携帯するようになることが予測される携帯型電話機を利用することにより、特別なカードを用いることなく商品購入者個人を特定できるようになる。また、ここで、「累計販売数量」とは、販売した商品の累計個数又は販売した累計回数自体、あるいはそれらの数に対応した数を意味する。このようにすると、自動販売機をよく利用する程より多くサービスが受けられるようになり、販売促進につながる。さらに、携帯型電話機を利用して音声データ、表示データ等の情報を提供することによりサービスにインパクトを与えることが可能になる。
【００１１】
【発明の実施の形態】
以下、本発明の実施の形態を図面に基づいて詳細に説明する。
図１は、本発明の自動販売機の正面図である。図１において、１は硬貨投入口、２は携帯電話差込部、３は金額表示器、４は商品選択ボタン、５は商品取出口、６は返却レバー、７は返却口、８は商品サンプルである。
【００１２】
本発明の自動販売機は、携帯電話差込部２を具えており、そこに携帯電話の下端部に設けられているコネクタを差し込むことにより、携帯電話と自動販売機との間で通信ができるようにしている。
【００１３】
図２は、本発明の自動販売機の制御ブロック図である。図２において、符号２は、図１のものに対応しており、９は携帯電話である。主制御部１０は、硬貨処理制御部１１，販売制御部１２，入力制御部１３，表示制御部１４等、自動販売機の各部を制御する端末制御部を統括して制御する。携帯電話差込部２は、主制御部１０に接続されていて、携帯電話９のコネクタ（図示せず）が差し込まれると、主制御部１と携帯電話９との間の通信を開始させる。
【００１４】
主制御部１は、携帯電話９からその電話番号を読み取り、該電話番号に基づいてユーザの個人識別を行い、電話番号別の販売データを、例えば、図４に示すような形でメモリＭに記憶して管理する。そして、商品販売個数又は商品販売回数が所定数を超えたユーザに対して割引き，キャッシュバック，特定商品のプレゼント等の金銭的，物的サービス、あるいは、携帯電話差込部２に差し込まれた携帯電話９を利用してのメールサービスやタレントの声による音声サービス等を行う。
【００１５】
さらに、この自動販売機では、通常の自動販売機のように、硬貨を投入することによっても購入できるが、販売価格を携帯電話の電話料金に加えて徴収することにより、ノンマネー方式での購入もできるようにしている。次に、販売時の処理をフローチャートを使って説明する。
【００１６】
図３は、本発明の自動販売機の処理を示すフローチャートである。
ステップ１…携帯電話差込部２に携帯電話９が差し込まれたか否かを判別する。
ステップ２…携帯電話９が差し込まれたら、携帯電話９から電話番号を読み取る。
【００１７】
ステップ３…メモリＭに保持している販売データ（図４）の該当する電話番号の使用可否の欄を調べて、ノンマネー方式での販売ができるか否かを判別する。なお、使用の可否は、ノンマネー方式を使用するか否かの各ユーザの申告、及び、各ユーザの電話料金支払い状況等に基づいて、予め設定される。
ステップ４…ノンマネー方式での販売ができる場合は、販売処理を行う。すなわち、各商品選択ボタンの販売可ランプを点灯させてから、商品選択ボタンが押されるのを待ち、商品選択ボタンが押されたら、それに対応する商品を排出する。
ステップ５…販売した商品の価格をメモリＭに保持している販売データの該当する電話番号の販売額の欄に記録する。
【００１８】
ステップ６…ステップ３でノンマネー方式での販売ができない場合は、硬貨投入を促す案内を表示する。この表示は、金額表示器３を使っても表示させるようにしてもよいし、携帯電話差込部２に差し込んでいる携帯電話９に表示データを送信して、その表示器に表示させるようにしてもよい。
ステップ７…硬貨投入口１に必要額の硬貨が投入されたか否かを判別する。
ステップ８…必要額の硬貨が投入されたら、販売処理を行う。
ステップ９…ステップ７で硬貨が投入されなかったら、携帯電話差込部２から携帯電話９が取り外されたか否かを判別し、取り外されていなければ、ステップ７に戻って硬貨投入を待ち、取り外されたら処理を終了する。
【００１９】
ステップ１０…販売した商品の個数をメモリＭに保持している販売データの該当する電話番号の販売個数の欄に記録されている累計個数Ｃに加算する。
ステップ１１…累計個数Ｃが所定数Ｋに達したか否かを判別する。
ステップ１２…累計個数Ｃが所定数Ｋに達したら、サービスとして、携帯電話差込部２に差し込まれている携帯電話９にサービス情報を送信する。サービス情報としては、有益情報のメールサービスやタレントの声による音声サービス等が考えられる。
ステップ１３…携帯電話差込部２から携帯電話９が取り外されたか否かを判別し、取り外されたら処理を終了する。
【００２０】
なお、ノンマネー方式で販売した際、販売した商品の価格をメモリＭに保持している販売データの該当する電話番号の販売額の欄に記録したが、そのようにして記録しておいた販売データは、所定期間（例えば、１箇月）毎に、電話番号毎の販売額を集計して電話会社に通知する。そして、電話会社では、通知された販売額を電話料金に加えて利用者から徴収し、徴収した販売額は、自動販売機運営会社毎に集計して送金する。
【００２１】
また、電話番号毎の販売データを各自動販売機毎に管理する代わりに、各自動販売機を通信によりホストコンピュータに接続してネットワーク化し、販売データを該ホストコンピュータにより一括して管理するようにしてもよい。そのようにすれば、複数の自動販売機での利用が可能になる。その際、複数の自動販売機運営会社のものを一括して管理する場合は、ホストコンピュータは、電話番号毎に、かつ、販売した自動販売機毎あるいは自動販売機運営会社毎に販売データを管理する必要がある。そして、電話会社へ通知する際にも、電話番号毎に、かつ、販売した自動販売機毎あるいは自動販売機運営会社毎に販売データを通知する。電話会社では、通知された販売額を電話料金に加えて利用者から徴収し、徴収した販売額は、自動販売機運営会社毎に集計して送金する。
【００２２】
なおまた、上記実施形態では、携帯型の電話機として携帯電話を使った場合で説明したが、携帯電話だけでなく、ＰＨＳ等、その他の携帯型電話機を使ってもよい。また、自動販売機と携帯型電話機との間の通信を、上記実施形態では、携帯電話挿入口２に携帯電話を差し込むことにより行うようにしたが、フリーダイヤル等を利用して、電話回線経由で電話機と自動販売機とを接続して通信を行うようにしてもよい。そしてまた、上記実施形態では、サービスとして携帯電話９にサービス情報を送信するようにしたが、それに限定されず、割引き，キャッシュバック，特定商品のプレゼント等の金銭的，物的サービス等を行うようにしてもよい。その際、プレゼントの引き渡し場所等を示すデータを携帯電話９に送信して、電話機の表示器に表示させるようにしてもよい。
【００２３】
さらに、上記実施形態では、携帯電話挿入口２を主制御部１０に接続したが、入力制御部１３等の既設の端末制御部に接続してもよいし、あるいは通信制御部として端末制御部を新たに設けてそれに接続するようにしてもよい。
【００２４】
本発明は、以上説明したように構成されているので、次に記載するような効果を奏する。すなわち、請求項１に記載の自動販売機は、商品販売時に、携帯型電話機から該電話機の電話番号を読み取り、該電話番号に基づいて個人識別を行い、前記電話番号毎に累計販売数量を記憶し、該累計販売数量が所定量に達したことを条件にして前記携帯型電話機に対してサービス情報を送信するようにしたので、ほとんどの人が常に携帯する携帯型電話機を利用することにより、特別なカードを用いることなく商品購入者個人を特定できるようになる。また、自動販売機をよく利用する程より多くサービスが受けられるようになり、販売促進につながる。さらに、携帯型電話機を利用して音声データ，表示データ等の情報を提供するという、目新しくてインパクトのあるサービスを行うことにより販促効果を向上させることが可能になる。 
【図面の簡単な説明】
【図１】本発明の自動販売機の正面図である。
【図２】本発明の自動販売機の制御ブロック図である。
【図３】本発明の自動販売機の処理を示すフローチャートである。
【図４】自動販売機内に保持している販売データの一例を示す図である。
【符号の説明】
１…硬貨投入口
２…携帯電話差込部
３…金額表示器
４…商品選択ボタン
５…商品取出口
６…返却レバー
７…返却口
８…商品サンプル
９…携帯電話
【図１】
0003864618.tif 000002
【図２】
0003864618.tif 000003
【図３】
0003864618.tif 000004
【図４】
0003864618.tif 000005